(57)【要約】【課題】構造が簡易で操作しやすく、ブレスレットの長さを確実に調整するための装置を備えたブレスレットの中留を提供する。【解決手段】本発明は、第１および第２の自由端を備えたブレスレットの中留（１、１００）である。中留は、固定部材（２０、３２）と、ブレスレットの固定部材（２０、３２）を閉位置に保持するように構成されたロック部材（３８、４０）と、ロック部材（２０、３２）に対する制御部材（１０）と、ブレスレットの使用可能な長さを調整するための調整装置（１２、１１２）とを備えることを特徴とする。【選択図】図１
2014108362.tif 000002
【特許請求の範囲】
【請求項１】
第１および第２の自由端を備えているタイプのブレスレットの中留（１、１００）であって、前記中留が、
前記ブレスレットの第１および第２の固定部材（２０、３２）であって、それぞれが前記ブレスレットの前記第１および第２の自由端と一体型に作製されるようになっていて、前記固定部材が、少なくとも１つの開位置と閉じた着用位置との間を双方に移動可能であり、前記閉位置では、前記両固定部材が、前記開位置にあるときよりも互いに接近して前記ブレスレットを閉鎖し、前記ブレスレットの使用可能な長さを決定する、固定部材（２０、３２）と、
前記ブレスレットの前記固定部材（２０、３２）を閉位置に保持するように構成された少なくとも１つのロック部材（３８、４０）と、
使用者の働きかけに応じて前記中留（１、１００）をロック解除し、前記閉位置から前記開位置に動くように構成された前記ロック部材（２０、３２）に対する少なくとも１つの制御部材（１０）と、
ブレスレットの使用可能な長さを調整するための装置（１２、１１２）であって、
前記ブレスレットの前記第１の固定部材（２０）を有する調整部材（１６、５６、５８）、および
少なくとも１つのロック部であって、前記調整部材（１４、１６、５６、５８）が固定される初期状態の閉状態と、前記調整部材（１４、１６、５６、５８）が、前記ブレスレットの前記第２の固定部材（３２）に対して前記ブレスレットの長さの方向に自由にスライドして、前記ブレスレットの使用可能な長さを変更する開状態とを有することができる、少なくとも１つのロック部（４２、１４２）
を備える、装置と
を備える中留において、
前記調整装置（１２、１１２）が前記ロック部材（３８、４０）から分離されていることと、使用者が前記ロック部材（３８、４０）の前記制御部材（１０）に働きかけることで、前記ロック部（４２、１４２）が閉状態から開状態まで動くように構成され、これによって前記調整部材（１４、１６、５６、５８）は、前記中留が開状態であるか閉状態であるかに関係なく動くことができることとを特徴とする、
中留。
【請求項２】
前記調整部材は、前記ブレスレットの前記第１の固定部材（２０）と、前記ロック部（４２、１４２）と協働するように構成された少なくとも１つのフィンガ（５８）とを有する支持構造（１４）を備え、前記フィンガは、ディスク（４４）を備え、このディスクは、前記支持構造に隣接し、前記支持構造には、スロット（４６）が前記ブレスレットの長手方向に沿って設けられ、前記スロット（４６）は、少なくとも２つの切り込み部（４８）を有し、この切り込み部は、前記ロック部（４２、１４２）が閉状態のときに前記フィンガ（５８）と協働して、２つの異なる前記ブレスレットの使用可能な長さをそれぞれ形成することができ、一方前記フィンガ（５８）は、前記ロック部（４２、１４２）が開状態のときに前記スロット（４６）内をスライドし、一方の切り込み部（４８）から他方の切り込み部まで動いて前記ブレスレットの使用可能な長さを変更することができることを特徴とする、請求項１に記載の中留（１、１００）。
【請求項３】
前記支持構造は、上壁（１６）および下壁（５６）を備え、該両壁の間には前記ディスク（４４）が配置され、前記フィンガ（５８）は、前記上壁および下壁（１６、５６）を互いに対して固定するねじの形態であることを特徴とする、請求項２に記載の中留（１、１００）。
【請求項４】
前記上壁（１６）は、側壁（１８）を有する上面を備えるカバー（１４）で形成され、
前記ブレスレットの駒の固定棒材（２０）の両端を収容するようになっている２つの穴と、
少なくとも１つの支持面であって、前記ねじ（５８）を用いて前記下壁（５６）が前記支持面に当接して保持される、少なくとも１つの支持面と
を有することを特徴とする、請求項３に記載の中留（１、１００）。
【請求項５】
前記制御部材は、プッシュピース（１０）を備え、このプッシュピースは、使用者の働きかけに応じて、前記ブレスレットの長手方向に対して実質的に垂直な方向に動くことができることと、前記ロック部（４２、１４２）は、前記プッシュピース（１０）と一体化されていることとを特徴とする、請求項１から４のうちいずれか一項に記載の中留（１、１００）。
【請求項６】
前記中留は、追加の制御部材（１０）を有し、前記両制御部材（１０）は、同様のものであり、前記ブレスレットの長手方向に対して対称であることと、前記調整装置（１２、１１２）は、
前記追加の制御部材（１０）と結合している追加のロック部（４２、１４２）であって、前記両ロック部（４２、１４２）は、同様のものであり、前記ブレスレットの長手方向に対して対称である、追加のロック部と、
前記追加のロック部（４２、１４２）と結合している追加のフィンガ（５８）と
を備えていることとを特徴とする、請求項５に記載の中留（１、１００）。
【請求項７】
前記中留は、互いに関節連結した少なくとも２つのブレード（２、４）を備える、三つ折り式中留タイプの中留であり、第１のブレード（２）は、２つの棒材（８）を備え、この２つの棒材は、前記ブレスレットの長手方向に対して対称であり、第２のブレード（４）の実質的に係合式の凹部内に挿入されて、前記棒材（８）を弾性復元手段（５４）に軽く近づけることによって前記中留を閉位置に設定し、各々の前記棒材（８）の外側のエッジは、これに対応する前記凹部の内側のエッジと協働して、前記中留のロック部材（３８、４０）を形成する、中留において、
各々の前記棒材（８）は、一方の前記プッシュピース（１０）および一方の前記ロック部（４２、１４２）を有する
ことを特徴とする、請求項６に記載の中留（１、１００）。
【請求項８】
各々の前記棒材（８）は、前記プッシュピース（１０）および前記これに対応するロック部（４２、１４２）を備える単一部品として作製されていることを特徴とする、請求項７に記載の中留（１、１００）。
【請求項９】
前記調整装置（１２、１１２）は、少なくとも１つの弾性部材（５４、１５４）を備え、この弾性部材は、前記ロック部（４２、１４２）に力を印加して、このロック部を閉状態に保持しようとすることを特徴とする、請求項１から８のうちいずれか一項に記載の中留（１、１００）。
【請求項１０】
前記調整装置（１２、１１２）は、前記ロック部（４２、１４２）に対して固定位置にある中間部材（５２、１５２）を備え、前記弾性部材（５４、１５４）の一方の端部に対する支持面を有することを特徴とする、請求項９に記載の中留（１、１００）。
【請求項１１】
前記調整装置（１１２）は、少なくとも２つの実質的に係合式の開口部（１６６）と結合したボルト受け（１６４）も備え、前記開口部は、前記ブレスレットの２つの異なる使用可能な長さに対応する少なくとも２つ前記調整装置（１１２）の構成を間欠送りするように構成されていることを特徴とする、請求項１から１０のうちいずれか一項に記載の中留（１００）。
【請求項１２】
前記ボルト受け（１６４）は、前記中間部材（１５２）に保持されていることを特徴とする、請求項１０または１１に記載の中留（１００）。
【請求項１３】
前記開口部（１６６）は、前記調整装置（１１２）の前記上壁（１１６）に構成されていることを特徴とする、請求項３または１２に記載の中留（１００）。
【請求項１４】
前記中留のロック解除は、前記制御部材（１０）が第１の振幅ｄ１分だけ動くことと関係があり、前記ロック部（４２）による前記調整部材（１４、１６、５６、５８）のロック解除は、前記制御部材（１０）が第２の振幅ｄ２分だけ動くことと関係があり、ｄ１はｄ２よりも短いことを特徴とする、請求項１から１３のうちいずれか一項に記載の中留（１００）。
【請求項１５】
請求項１から１４のうちいずれか一項に記載の中留（１、１００）を装着したバンドを備えている腕時計。
【発明の詳細な説明】
【技術分野】
【０００１】
本発明は、第１および第２の自由端を備えているタイプのブレスレットの中留であって、中留が、ブレスレットの第１および第２の固定部材を備え、この固定部材が、それぞれブレスレットの第１および第２の自由端と一体型に作製されるようになっており、固定部材が、少なくとも１つの開位置と閉じた着用位置との間を双方に移動可能であり、閉位置では、両固定部材が、開位置にあるときよりも互いに接近してブレスレットを閉鎖し、ブレスレットの使用可能な長さを決定する中留に関する。この中留は、ブレスレットの固定部材を閉位置に保持するように構成された少なくとも１つのロック部材と、使用者の働きかけに応じて中留をロック解除し、閉位置から開位置に動くように構成されたロック部材に対する少なくとも１つの制御部材とを備える。このほか、本発明による中留は、ブレスレットの使用可能な長さを調整するための装置であって、
ブレスレットの第１の固定部材を有する調整部材と、
少なくとも１つのロック部であって、調整部材が固定される初期状態の閉状態と、調整部材が、ブレスレットの第２の固定部材に対してブレスレットの長さ方向に自由にスライドして、ブレスレットの使用可能な長さを変更する開状態とを有することができる、少なくとも１つのロック部と
を備えている、装置を備える。
【０００２】
本発明は、このような中留を装着した腕時計にも関する。
【背景技術】
【０００３】
ブレスレットの使用可能な長さを調整するための装置を提供する必要性に関する問題は公知である。
【０００４】
一方では、ブレスレットが連結具でできている場合、着用者の手首周りの長さは、ブレスレットの２つの構成が連結具１つ分だけで互いに異なるものになる点にその価値を見出すことができる。これは、皮革やゴムなどでできているブレスレットに孔がある場合も同じであるが、この孔では的確な調整が満足にできない。同じように、ブレスレットの使用可能な長さを調整するための装置を提供し、この装置によって、連結具を取り外したり付け加えたりするよりも的確にブレスレットの長さを調整できるようにすることが有益である。
【０００５】
他方では、手首周りの長さは、季節によって変化し、一般には夏に最大値に達し、冬に最小値に達することも知られている。このような場合に、ブレスレットの使用可能な長さを的確に調整するための装置を提供し、この装置によって、ブレスレットの着用者がその長さを調整して、ブレスレット着用の快適さを向上できることがさらに好ましい。
【０００６】
例として、欧州特許出願第０９１３１０６０Ａ１号には、ブレスレットの固定棒材の両端を収容するようになっている一連の穴の対を有するカバーを備えている三つ折れ式タイプの中留が記載されている。２対の隣接する穴は、前述の問題に対応して、ブレスレットの使用可能な長さを調整するステップを規定する距離を置いた間隔を設けている。
【０００７】
しかし、これに該当するブレスレットの長さを調整することは、先の尖った工具を使用しないかぎり実現できないため困難である。この操作には、ある程度器用であることが要求されるだけではなく、調整を行う人が無器用であると、カバーを損傷する余計なリスクも伴う。
【０００８】
このような状況を避けるために、これに代わる装置がすでに開示されており、例えば欧州特許第０３５０７８５Ｂ１号には、上記の中留と同様のものだが、代わりに、工具なしで操作できるブレスレットの使用可能な長さを調整するための装置を有するものが開示されている。実際、この特許文献に記載されている中留は、三つ折り式中留タイプの中留であり、軸を介して互いに関節連結した２つのブレードであって、軸が両ブレードを貫通しているブレードを有しており、各々のブレードは、ブレスレットの自由端に固定するための部材を有する。第１のブレードは、フックを有し、このフックは、第２のブレードに構成された穴と嵌合して、そこでばね受けと協働するようになっており、このばね受けによって、フック、およびこれに伴い中留を、閉状態にロックすることができる。第２のブレードは、ブレスレットの使用可能な長さを調整するステップを規定する特定の所定範囲にわたって、互いに対してスライドできる２つの部分を備えている。この２つの部分のうちの第１の部分は、これを第１のブレードに連結するヒンジを有し、一方、第２の部分は、ロックするばね受けを有している。フックが嵌合して中留をロックする穴は、ブレスレットの長手方向に長さがあり、この長さは、第２のブレードの２つの部分の間をスライドする範囲に相当する。ばね受けは、ブレスレットの長手方向におけるフックの２つの位置を規定する中央部分を有し、この２つの位置は、２つの異なるブレスレットの使用可能な長さと対応している。制御部材が特にプッシュピースを備えていることによって、ばね受けの作用でフックを解放でき、中留を開けることができる。
【０００９】
このように、この発明に記載の中留は、その長さを調整するために開かなければならないものである。
【００１０】
このようにすることで生じる欠点は、中留を開けるたびにブレスレットの長さを調整することが無駄であることだと指摘できる。これが原因で、ブレスレットの着用者は、フックがばね受けの中央部分側から挿入され、所望するブレスレットの長さと一致していることを確認しなければならない。
【００１１】
この種の欠点を防止するための代案として、特殊なロック部材を備えた調整装置も提供されている。
【００１２】
欧州特許出願第１３７８１８５Ａ１号には、この一例が記載されている。しかし、このような装置は、中留のロックに関わる少なくとも１つの制御部材と、調整装置のロックに関わる少なくとも１つの追加の制御部材とを備えている可能性があるため、一般に複雑であり、あまり簡素な構造ではない。
【先行技術文献】
【特許文献】
【００１３】
【特許文献１】欧州特許出願第０９１３１０６０Ａ１号
【特許文献２】欧州特許第０３５０７８５Ｂ１号
【特許文献３】欧州特許出願第１３７８１８５Ａ１号
【発明の概要】
【発明が解決しようとする課題】
【００１４】
本発明の主な目的は、構造が簡易で操作しやすい装置であって、中留を開けているときなどに、好ましくは確実な調整を提供することでブレスレットの使用可能な長さを調整するための装置を備えたブレスレットの中留を提供して、先行技術で公知の中留がもつ欠点を克服することである。
【課題を解決するための手段】
【００１５】
これを基本として、本発明は、さらに詳細には、前述したタイプのブレスレットの中留であって、調整装置がロック部材から分離されていることと、使用者がロック部材の制御部材に働きかけることで、ロック部が閉状態から開状態まで動くように構成され、これによって調整部材は、中留が開状態であるか閉状態であるかに関係なく動くことができることとを特徴とする中留に関する。
【００１６】
この特徴により、本発明による調整装置は、中留のロック部材から分離されているものの、中留をロック解除するためにすでに備わっている制御部材によって作動するため、簡素な構造であり、その上、中留が閉状態にあるときであってもブレスレットの長さを調整することができる。
【００１７】
概して、有利には、中留のロック解除は、制御部材が第１の振幅ｄ１分だけ動くことと関係があり、ロック部による調整部材のロック解除は、制御部材が第２の振幅ｄ２分だけ動くことと関係があり、この場合のｄ１はｄ２よりも短くする。
【００１８】
そのため、調整部材をロック解除することなく中留をロック解除することが可能になり、これによって、前述の先行技術の中留とは対照的に、中留が開いている間に所望の調整を維持することができる。
【００１９】
さらに、調整部材は、好ましくは、ブレスレットの第１の固定部材と、ロック部と協働するように構成された少なくとも１つのフィンガとを有する支持構造とを備え、フィンガは、ディスクを備え、このディスクは、支持構造に隣接し、この支持構造には、スロットがブレスレットの長手方向に沿って設けられている。このスロットは、少なくとも２つの切り込み部を有し、この切り込み部は、ロック部が閉状態のときにフィンガと協働して、２つの異なるブレスレットの使用可能な長さをそれぞれ規定することができ、一方フィンガは、ロック部が開状態のときにスロット内をスライドし、一方の切り込み部から他方の切り込み部まで移動してブレスレットの使用可能な長さを変更することができる。
【００２０】
好適な変形例によれば、支持構造は、上壁および下壁を備え、両壁の間にはディスクが配置され、フィンガは、上壁および下壁を互いに対して固定するねじの形態である。
【００２１】
このほか、上壁は、側壁を有する上面を備えるカバーで形成され、
ブレスレットの駒の固定棒材の両端を収容するようになっている２つの穴と、
少なくとも１つの支持面であって、ねじを用いて下壁がこの支持面に当接して保持される少なくとも１つの支持面と
を有する。
【００２２】
制御部材は、プッシュピースを備え、このプッシュピースは、使用者の働きかけに応じて、ブレスレットの長手方向に対して実質的に垂直な方向に動くことができ、ロック部は、プッシュピースと一体化することもできる。
【００２３】
概して、中留は追加の制御部材を有し、両制御部材は、同様のものであり、ブレスレットの長手方向に対して対称であり、また、調整装置は、追加の制御部材と結合している追加のロック部であって、両ロック部は、同様のものであり、ブレスレットの長手方向に対して対称であるロック部と、
追加のロック部と結合している追加のフィンガと
を備えている。
【００２４】
好適な実施形態によれば、中留は、互いに関節連結した少なくとも２つのブレードを備えた三つ折り式タイプの中留であり、第１のブレードは、２つの棒材を備え、この２つの棒材は、ブレスレットの長手方向に対して対称であり、第２のブレードの嵌合式の凹部内に挿入されて、棒材を弾性復元手段に軽く近づけることによって中留を閉位置に設定し、各々の棒材の外側のエッジは、これに対応する凹部の内側のエッジと協働して、中留のロック部材を規定する。このため、有利には、第１のブレードの各々の棒材は、一方のプッシュピースおよび一方のロック部を有する。各ブレードは、これに対応するプッシュピースおよびロック部を備えた単一部品として作製することができる。
【００２５】
概して、調整装置は、少なくとも１つの弾性部材を備え、この弾性部材は、ロック部（単数または複数）に力を印加して、このロック部（単数または複数）を閉状態に保持しようとする。
【００２６】
この場合、調整装置は、ロック部に対して固定位置にある中間部材を備え、弾性部材の一方の端部に対する支持面を有することが好ましい。
【００２７】
調整装置は、少なくとも２つの嵌合式の開口部と結合したボルト受けを備え、この開口部は、ブレスレットの２つの異なる使用可能な長さに対応する少なくとも２つの構成を間欠送りするように構成されている。このため、ボルト受けは、中間部材に備わっていてもよい。この場合、開口部は、調整装置の上壁に構成されていてもよい。
【００２８】
本発明のその他の特徴および利点は、非限定的な例として挙げた添付した図面を参照して、好適な実施形態についての以下の詳細な説明を読めば、より明らかになるであろう。
【図面の簡単な説明】
【００２９】
【図１】本発明の好適な実施形態によるブレスレットの中留が閉まっている状態を示す全体斜視図である。
【図２】図１の中留が開いているときの部分展開斜視図である。
【図３】第１の構成にある図１の中留の細部の簡易断面図である。
【図４】図３と同様の図であり、中留が第２の構成にある図である。
【図５】本発明の好適な実施形態によるブレスレットの中留が閉まっているときの展開斜視図である。
【図６】図５の中留の設計細部の簡易断面図である。
【図７】図５の中留の長手断面図である。
【発明を実施するための形態】
【００３０】
非限定的な例として図示した中留は、本発明の好適な実施形態に相当する。さらに詳細には、この中留１は、三つ折れ式中留タイプの中留であり、時計バンドの中留に使用されるものである。
【００３１】
図１からさらに詳細にわかるように、中留１は、軸６を介して第２のブレード４に関節連結した第１のブレード２を備え、軸６はこの場合、非限定的に示したブレード４に留めたピンで構成されている。各々のブレード２、４は、ブレスレットの長手方向に細長い形状であり、着用者の手首の形状にフィットしやすいようにやや湾曲している。
【００３２】
第１のブレード２は、２つの棒材８を備え、この棒材は、軸６側にある端部で互いに接触した状態に構成されており、各棒材は切り欠き部を有し、棒材の長さの最大部分にわたって、棒材が互いに接触しないように構成されている。
【００３３】
各々の棒材８は、軸６から遠い方の端部近傍にプッシュピースを構成する延長部１０を有し、この延長部は、ブレスレットの長手方向に対して垂直方向に延びており、制御部材を規定するプッシュピースを形成し、このプッシュピースによって中留をロック解除することができ、これについては図２の詳細な説明からわかるであろう。
【００３４】
このほか、第１のブレード２の自由端は、ブレスレットの使用可能な長さを調整するための調整装置１２を有し、この装置は、中留１に結合するようになっている。
【００３５】
前記調整装置１２は、カバー１４を備え、このカバーは、側壁１８を有する上壁１６を有する。側壁１８は、ブレスレットの駒の固定棒材２０の端部を従来の方法で収容できる２つの穴を備えている。
【００３６】
図２は、中留１が開いているときの展開斜視図である。
【００３７】
図２から、第２のブレード４は、横架部２４を介して中央領域で接合された２つのアーム２２を備えていることがわかる。このアーム２２は、ブレスレットの駒の固定プレート２８を有する屈曲部２６から延び、このプレートは、アーム２２の全体方向に沿って移動して、ブレスレットの駒に対する通路を形成する。
【００３８】
固定プレート２８は、丸頭ねじボルト３２を設置できるように互いに規則的な間隔を開けた複数の穴３０を有し、この丸頭ねじボルトは、ブレスレットの穴と嵌合してこのボルトを中留に固定するようになっており、丸頭ねじボルト３２の中でねじ（図示せず）が締められている。また、各屈曲部２６は、ブレスレットの駒を中留１上で設置した時点でこの駒の保持具合を向上させるようになっている小さな突起片３４を有する。横架部２４は、ブレスレットの他方の１つの穴に嵌合するようになっている、任意で取り付けるボルト３６またはねじを有して、中留１に対する保持をさらに向上させる。丸頭ねじボルト３２は、１つの穴３０または他の穴の中に設置されて、この丸頭ねじボルトとボルト３６との間のスペースを形成することができ、このスペースは、ブレスレットの駒に配置される整数の穴の間隔と一致する。
【００３９】
第２のブレード４のアーム２２同士の間のスペースは、中留１が閉状態のときに第１のブレード２を公知の方法で収容できる凹部を形成するものである。
【００４０】
中留を閉状態に保持するために、従来のロック手段を設けている。棒材８の外側のエッジは、プッシュピース１０の近傍に厚くなった部分３８を有し、この部分は、第２のブレード４の内側のエッジと凹部で摩擦によって協働するように構成されている。特に、第２のブレードの内側の各エッジは、凹部４０を有し、この凹部に、これに対応する第１のブレード２の厚くなった部分３８が、中留を閉じたときに係合する。各々の棒材８に設けられた切り欠き部は、スペースを開き、これによって、中留をロックしている間、またはプッシュピース１０を作動させて厚くなった部分３８を凹部４０から解放して中留を開ける際に、両棒材が弾性復元手段に対して互いに接近できるようにする。
【００４１】
前述の欧州特許出願第０９１３１０６０Ａ１号には、このタイプの中留が詳細に記載されており、当業者は必要に応じてこれを参照することができる。
【００４２】
各プッシュピース１０は、ブレスレットの使用可能な長さを調整するための装置のロック部４２から延びている。
【００４３】
各ロック部４２は、プレート４４を備え、このプレートは、ブレスレットの長手方向を向いたスロット４６を有するとともに、このスロット４６の両端に２つの切り込み部４８を有する。
【００４４】
ロック部は、両者の間にＴ字型の開口部５０を形成する形状であり、中間部材５２と協働してこの中間部材をロック部４２に対して保持するように構成されている。
【００４５】
中間部材５２の第１の機能は、ばね５４の第１の端部に対する支持面を提供することであり、このばねの第２の端部は、これに対応するプレート４４に当接して留まり、これらのばねは、ロック部４２を閉状態に保持するように構成されており、これについては図３および図４についての以下の詳細な説明からわかるであろう。
【００４６】
中間部材５２の第２の機能は、調整装置の構造上の安定性を向上させるための支持体として作用することである。
【００４７】
実際、図２から、調整装置１２の支持構造は、２つのねじ５８を用いてカバー１４の上壁１６に一体的に結合した下壁５６を備えていることがわかる。上壁１６および中間部材５２は、互いに対する支持面にもなり、下壁５６は、この支持面に当接して構成され、このようにして、対応するアセンブリの安定性を向上させている。
【００４８】
ねじ５８は、スロット４６を貫通し、中間部材５２に構成された対応するスロット６０も貫通して配置される。
【００４９】
ロック部４２は、このように下壁５６と上壁１６との間に構成され、スロット４６がねじ５８と協働する結果、ここに保持される。
【００５０】
次に、本発明による調整装置の操作方法を、図３および図４に関連付けて説明していく。図３および図４は、同様の簡易断面図を示しており、第１の構成および第２の構成の状態にある調整装置を中央平面に沿って切断して示す断面図である。
【００５１】
さらに詳細には、図３は、中留の長構成、すなわちブレスレットの使用可能な長さが最長である構成に相当しているのに対し、図４は、中留の短構成、すなわち、ブレスレットの使用可能な長さが最短である構成に相当する。
【００５２】
この各々の図では、上半分は、閉状態にある第１のロック部４２を示し、下半分は、開状態にある第２のロック部４２を示している。
【００５３】
プッシュピース１０が自由な状態にあるとき、棒材８は、ばね５４の作用により支えられて休止状態の形状になることで、閉状態に相当する広がった位置に各ロック部４２を保持している。
【００５４】
この構成では、各々のねじ５８は、一方の切り込み部４８に位置し、支持構造は長手方向に移動できない、つまり、ブレスレットはロック部４２に対して動かない。
【００５５】
プッシュピース１０を作動させると、ロック部４２は、互いに接近して開状態（図３および図４の下半分）になるように動く。
【００５６】
両切り込み部４８は、この動作過程で入れ替わり、これによってねじ５８は、スロット４６の軸上に位置するため、スロット沿いにスライドすることが可能になり、必要に応じて一方の切り込み部４８または他方の切り込み部に対面する位置に来る。このように、使用者がプッシュピース１０を作動させてロック部４２を開状態に設定すると、この使用者は、カバー１４を動かしてブレスレットの長手方向に移動させて、ブレスレットの使用可能な長さを変更することができる。ねじ５８が再び一方の切り込み部４８に対面する位置に来たとき、かつ、使用者によるプッシュピース１０への作用がない場合、棒材８は、ばね５４の弾性とばねの作用が同時に起こる結果、元の休止形状に戻る。この作用によってロック部４２が閉状態に戻り、これによって、下壁５６およびねじ５８と結合しているカバー１６を備えている調整部材がロックされる。
【００５７】
図３と図４とを比較すると、図３の構成では、ブレスレットを中留１の所で組み立てると仮定して、ブレスレットの駒が重なった部分の長さは、図４の構成での長さよりも短くなることは明らかであり、これは、図３の構成では、ブレスレットの使用可能な長さが図４の長さよりも長いということである。
【００５８】
さらに、図３の下半分と上半分とを比較すると、棒材８が変形する第１の振幅ｄ１によって、中留１をロック解除することができ、第１の振幅ｄ１よりも長い、棒材８が変形する第２の振幅ｄ２は、ねじ５８を解放するのに必要なものであり、これによってねじをスロット４６内でスライドさせることができることがわかる。このように、実施する調整を変更することなく中留１を開けることができるという設計によって、本発明による調整装置を好適な方法で提供することが可能になる。
【００５９】
さらに、この特定の特徴によって、中留が開いているときに当該中留の長さを調整できるとともに、有利には、この調整を維持することもできる。
【００６０】
図５から図７は、前述した中留の変形例を示している。この説明を簡易化するために、前述した実施形態と同じ素子には同じ符号を付し、異なる特徴のみを詳細に説明していく。
【００６１】
図５は、中留１００が閉じた構成にある状態を展開斜視図で示したものであり、この中留の全体構造は、中留１の全体構造と同じものである。
【００６２】
中留１００は、ブレスレットの使用可能な長さを調整するための調整装置１１２の構造の点で、中留１と異なる。
【００６３】
調整装置１１２は、中留１００の第１のブレード１０２の棒材１０８と一体化した２つのロック部１４２を備えており、中留を開けるとともに、ロック部１４２を閉状態から開状態に動かすこともできるように、プッシュピース１１０も設けられている。
【００６４】
中間部材１５２は、調整装置の下壁１５６と上壁１１６との間に構成され、各々のロック部１４２に構成された厚くなった部分１６２によって、ブレスレットの長手方向に保持されている。
【００６５】
中間部材５２に関してすでに説明した機能のほかに、中間部材１５２は、可能性のある様々な調整の構成を間欠送りするようになっているボルト受け１６４を有する。
【００６６】
図５から、上壁１１６には、ボルト受け１６４のボルトと協働するようになっている開口部１６６が設けられていることも明らかである。
【００６７】
調整装置１１２の構成は、図６からさらに明確にわかり、この図は、中央面に沿った調整装置の断面図を示している。
【００６８】
中間部材１５２は、小突起片１６８を備え、この突起片は、ばね１５４の第１の端部に対する２つの支持面を規定し、この支持面は、ロック部１４２に作用してこのロック部を閉状態に保持する。
【００６９】
図７は、中留１００の長手方向の断面を示しており、そのため、この図で、どのようにボルト受け１６４がカバー１１４の上壁１１６と協働して、中留１００に対して取り得る様々な調整位置を間欠送りするのかをよりよく説明できる。
【００７０】
中留１００は、図７では長構成の状態で示されている。前述の説明から、カバー１１４を図の左に移動させれば、ブレスレット（図示せず）が短くなることがわかる。
【００７１】
本明細書から、本発明による中留は、ブレスレットの使用可能な長さを調整するための装置を備え、この装置が、簡易な構造で操作しやすいものであるとともに、簡素な美観を維持し、必要なスペースが少ないことが明らかになる。
【００７２】
前述の記載は、特定の実施形態の非限定的に説明しようとするものであり、本発明は、例えば、ブレードに対して詳細に図示し説明した形態や、中留をロックするための協働の仕方など、これまで説明してきたいくつかの特定の特徴の使用に限定されるものではない。実際、例として、本発明の特徴と一致する調整可能な中留に関して、このようにする代わりに、冒頭で言及した欧州特許第０３５０７８５Ｂ１号に記載されているようなフックタイプまたはばね受けタイプのロック部材を使用することができる。
【００７３】
当業者は、本発明の範囲を逸脱しないかぎり、本開示の内容を自身の要件に適応させるにあたり、また、特に時計用の中留を構成するにあたり、特に何ら困難に遭遇することはないであろう。ここで留意すべきは、例えば、本明細書で図示し説明したものとは異なる構造の三つ折れ式バックルを作製するために、本教示を適応させることは、当業者にとって何ら困難なことではないであろうということである。
【００７４】
さらに、本発明による中留は、ブレスレットの使用可能な長さを調整する２つの位置の使用法に限定されるものではない。実際、当業者は、可能な調整位置数をより多く有する中留を構成するために本教示を適応させるにあたり、何ら困難に遭遇することはないと思われる。
【符号の説明】
【００７５】
１、１００  中留
２、１０２  第１のブレード
４  第２のブレード
６  軸
８、１０８  棒材
１０、１１０  プッシュピース
１２、１１２  調整装置
１４、１１４  カバー
１６、１１６  上壁
１８  側壁
２０  固定棒材
２２  アーム
２４  横架棒材
２６  屈曲部
２８  固定プレート
３０  穴
３２  丸頭ねじボルト
３４  突起片
３６  ボルト
３８、１６２  厚くなった部分
４０  凹部
４２、１４２  ロック部
４４  プレート
４６、６０  スロット
４８  切り込み部
５２、１５２  中間部材
５４、１５４  ばね
５６、１５６  下壁
５８  ねじ
１６４  ボルト受け
１６６  開口部
１６８  小突起片
【図１】
2014108362.tif 000003
【図２】
2014108362.tif 000004
【図３】
2014108362.tif 000005
【図４】
2014108362.tif 000006
【図５】
2014108362.tif 000007
【図６】
2014108362.tif 000008
【図７】
2014108362.tif 000009